(57)【要約】【課題】  従来の漏洩電流抑制回路は、インバータ回路の動作によって発生する漏洩電流に対しては有効であるが、スイッチング素子をハーフブリッジ型に構成したコンバータ回路によって発生する漏洩電流を抑制することができないという問題点があった。【解決手段】  この発明は、電圧変換を可能とするリアクトルと、交流電源の交流を直流に変換するスイッチング手段と、変換された直流電圧を出力する平滑コンデンサとより成り電圧増幅を行うコンバータ回路と、前記コンバータ回路の出力をスイッチング手段により直流を三相交流へと変換するインバータ回路及びこのインバータ回路の出力により駆動される電動機と、前記電動機の漏洩インピーダンスと等価であるインピーダンス部を設けた漏洩電流抑制回路とを備え、前記ンピーダンス部の出力端をアース部に接続した構成とする。【選択図】        図１
2006174610.tif 000002
【特許請求の範囲】
【請求項１】
電動機を制御する電力変換装置において、電圧増幅用のリアクトルと、交流電源の交流を直流に変換するスイッチング手段と、変換された直流電圧を出力する平滑コンデンサとより成り電圧増幅を行うコンバータ回路と、前記コンバータ回路の出力をスイッチング手段により直流を三相交流へと変換するインバータ回路及びこのインバータ回路の出力により駆動される電動機と、前記電動機の漏洩インピーダンスと等価であるインピーダンス部を設けた漏洩電流抑制回路であって、前記インピーダンス部の出力端をにアース部に接続したことを特徴とする漏洩電流抑制回路を備えた電力変換装置。
【請求項２】
前記コンバータ回路に交流を直流へ変換し電圧変換を行うようにしたハーフブリッジ型のスイッチング手段を設けたことを特徴する請求項１記載の漏洩電流抑制回路を備えた電力変換装置。
【請求項３】
前記リアクトルは商用交流電源側に接続されていることを特徴とする請求項１記載の漏洩電流抑制回路を備えた電力変換装置。
【請求項４】
電圧増幅用リアクトルの出力をスイッチング素子によって切り替えることで、コンバータ回路の動作によって生じる対地間電圧とは逆位相の電位を出力し、その出力を漏洩インピーダンスへ接続することを特徴とする請求項１記載の漏洩電流抑制回路を備えた電力変換装置。
【請求項５】
漏洩電流抑制回路は商用交流電源側に接続され、該商用交流電源のゼロクロス検出するゼロクロス検出回路９と、複数のスイッチング素子を駆動するスイッチング素子ドライブ回路と、漏洩電流インピーダンスと等価になるインピーダンス部とより成ることを特徴とする請求項１記載の漏洩電流抑制回路を備えた電力変換装置。
【請求項６】
前記電力変換装置は空気調和機の圧縮機の駆動用として設けたことを特徴とする空調機用漏洩電流抑制装置。
【発明の詳細な説明】
【技術分野】
【０００１】
この発明は、空調機に係り、特に、スイッチング動作によって発生する漏洩電流を打ち消す漏洩電流抑制回路を備えた電力変換装置に関する。
【背景技術】
【０００２】
一般に圧縮機を搭載する空気調和機、冷凍機、冷蔵庫等の冷凍サイクル装置は、圧縮機駆動用の電力変換装置を用いている。該電力変換装置は交流を直流へ変換し、電圧増幅を行うコンバータ回路、およびこのコンバータ回路の出力である直流電圧を任意周波数の３相交流へと変換するインバータ回路によって構成されている。これらインバータ回路およびコンバータ回路はスイッチング素子を有する。このインバータ回路の出力が圧縮機の電動機へと供給されている。
【０００３】
近年、電力用半導体素子の性能向上、圧縮機高効率駆動に対する要望が高まることから、コンバータ回路，インバータ回路においてスイッチング周波数（すなわちキャリア周波数）の高周波化が進められている。同時にスイッチングの高周波化により、電流、電圧の急激な変化により、伝導性および放射性の電磁妨害（ＥＭＩ）や、圧縮機の浮遊容量を介して、大地へと数ＭＨｚの高周波漏れ電流が生じる。
【０００４】
このように高周波漏れ電流および放射性の電磁妨害等は、商用電源へと誘電的に伝わり、他の家電製品や通信に対して様々な誤作動を誘発する可能性がある。
【０００５】
交流電源電圧を整流するコンバータ回路と、その出力を任意の周波数へと変換するインバータ回路の動作によって発生する高周波漏れ電流を低減する為、例えば、ノイズ除去用フィルタに設けられた、電流検出用コイルにより、検出されたコモン電流をもとに漏洩電流と逆位相である電流をアース線より供給することによって漏洩電流を低減している。（例えば、特許文献１参照）
【０００６】
また、従来は圧縮機に印加される対地電圧と逆位相の電圧を発生するスイッチング回路、漏洩インピーダンスと等価なインピーダンス部、スイッチング回路を駆動するドライブ回路によって構成され、漏洩電流抑制装置のスイッチング回路の電源は、本体のコンバータ回路の出力を用いている。また、スイッチング回路を駆動するドライブ回路は本体のインバータ回路のスイッチングパターンと逆になるように動作している。スイッチングの手段によってインバータ回路のスイッチング動作によって生じる各相の対地間電圧と逆位相の電圧を漏洩インピーダンスと等価であるインピーダンスに印加させ、本体の電力変換機のスイッチングによって発生する漏洩電流を打ち消している。（例えば、特許文献２参照）
【０００７】
【特許文献１】特開平１１−１８７６７１号公報（３頁〜５頁、図１）
【特許文献２】特開平９−２３３８３７号公報（７頁、図１、図２）
【発明の開示】
【発明が解決しようとする課題】
【０００８】
従来の電力変換装置は、インバータ回路の動作によって発生する漏洩電流に対しては有効であるが、スイッチング素子をハーフブリッジ型に構成したコンバータ回路（以下ハーフブリッジ型コンバータ回路と称す）によって発生する漏洩電流を抑制することができなかった。そのため、ハーフブリッジ型コンバータ回路を含む電力変換装置において漏洩電流を抑制できないという問題点があった。
【０００９】
また、他の従来例においては本体のハーフブリッジ型コンバータ回路のスイッチングと漏洩電流抑制回路のスイッチングが同期する必要があり、スイッチングが遅れる事によって、十分に効果が発揮できない可能性があった。
【００１０】
この発明は、上記のよう課題を解決するためになされたもので、ハーフブリッジ型コンバータ回路のスイッチングによって大地へと流れる漏洩電流を打ち消すことができる漏洩電流抑制装置を備えた電力変換装置を提供することを目的とする。
【００１１】
また、この発明は少ない部品構成で漏洩電流を抑制することができる漏洩電流の抑制を提供することを目的とする。
【課題を解決するための手段】
【００１２】
この発明の漏洩電流抑制回路を備えた電力変換装置は、電動機を制御する電力変換装置において、電圧増幅用リアクトルと、交流電源の交流を直流に変換するスイッチング手段と、変換された直流電圧を出力する平滑コンデンサとより成り電圧増幅を行うコンバータ回路と、前記コンバータ回路の出力をスイッチング手段により直流を三相交流へと変換するインバータ回路及びこのインバータ回路の出力により駆動される電動機と、前記電動機の漏洩インピーダンスと等価であるインピーダンス部を設けた漏洩電流抑制回路であって、前記インピーダンス部の出力端をアース部に接続したものである。
【発明の効果】
【００１３】
この発明の漏洩電流抑制回路を備えた電力変換装置は、電動機を制御する電力変換装置において、電圧増幅用のリアクトルと、交流電源の交流を直流に変換するスイッチング手段と、変換された直流電圧を出力する平滑コンデンサとより成り電圧増幅を行うコンバータ回路と、前記コンバータ回路の出力をスイッチング手段により直流を三相交流へと変換するインバータ回路及びこのインバータ回路の出力により駆動される電動機と、前記電動機の漏洩インピーダンスと等価であるインピーダンス部を設けた漏洩電流抑制回路であって、前記インピーダンス部の出力端をアース部に接続した構成としたので、ハーフブリッジ型コンバータ回路のスイッチングと漏洩電流抑制回路のスイッチングを同期することができると共に、電圧増幅回路の動作によって発生し、大地へと流れ出る漏洩電流を打ち消すことができる効果を有する。
【発明を実施するための最良の形態】
【００１４】
実施の形態１．
図１はこの発明の実施の形態１による空調機の漏洩電流抑制装置を示す全体構成図、図２は図１の各部における電圧電流波形図、図３は図１の漏洩電流抑制装置のコンバータ回路スイッチング素子の対地間電圧の発生メカニズムを示す説明図、図４は図１の漏洩電流抑制装置におけるインバータ回路部の対グランド電圧発生のメカニズムを示す説明図、図５は圧縮機電動機に発生する漏洩電流発生のメカニズムを示す説明図、図６は漏洩電流抑制回路のメカニズムを示す説明図である。
【００１５】
図において、コンバータ回路３は商用交流電源１より供給された交流を、電圧増幅用のリアクトル（以下ＡＣＬと呼ぶ）２を介してハーフブリッジ型コンバータ回路と電圧平滑用コンデンサが接続された回路により、商用交流電源１を直流に変換し、ハーフブリッジ型スイッチング手段である第1スイッチング素子３ａおよび第２スイッチング素子３ｂの動作により、その供給された電圧を上昇させ平滑用コンデンサ４にて平滑された直流電圧を出力させる。
【００１６】
また、ＰＷＭインバータ回路５においては、前記コンバータ回路３にて出力された直流電圧を第３スイッチング素子５ａ、第４スイッチング素子５ｂ、第５スイッチング素子５ｃ、第６スイッチング素子５ｄ、第７スイッチング素子５ｅおよび第８スイッチング素子５ｆをＰＷＭスイッチング手法によってスイッチング素子を動作させることによって、直流電圧を任意の周波数をもつ、３相交流へと変換させる。
【００１７】
圧縮機電動機６においては、前記ＰＷＭインバータ回路５より発生させた任意の周波数である３相交流へと変換された電源により駆動される。該圧縮機電動機６は金属製の圧縮機外枠６ａ内に密封され、前記圧縮機電動機６内の電動機用コンデンサ６ｃは電動機のコイル６ｂと圧縮機外枠６ａとの間に存在する漏洩電流インピーダンスを示し、前記コンデンサ６ｃは、圧縮機外枠６ａから空調機本体７を経由してアース部７ａへと接続されて大地に降りている。
【００１８】
図１に示す漏洩電流抑制回路８は前記商用交流電源１のゼロクロス検出するように、前記コンバータ回路３と商用交流電源１との間に接続されたゼロクロス検出回路９と、前記ＡＣＬ２を介して前記商用交流電源１に接続された第９スイッチング素子１１ａ、第１０スイッチング素子１１ｂから成るスイッチング素子ドライブ回路１１と、漏洩電流インピーダンスと等価になるように前記スイッチング素子ドライブ回路１１に接続して設けた抵抗Ｒ１２ａとコンデンサＣ１２ｂより成るインピーダンス部１２および該インピーダンス部出力端１２ｃによって構成される。このインピーダンス出力端１２は前記空調機本体７を経由してアース部７ａへと接続されて大地に降りている。
【００１９】
次に、この発明の実施の形態１による空調機の漏洩電流の発生のメカニズムについて説明する。図２に図１における各部の波形を示す。図２（Ａ）はアースとコンバータ回路の出力部のグランドとの対地電圧Ｖｇ−ｅを示す。図２（Ｂ）はグランドとインバータ回路出力（圧縮機入力）の電位差Ｖｕ−ｇを示す。図２（Ｃ）はアースと圧縮機入力部の電位差Ｖｕ−ｅを示す。図２（Ｄ）は圧縮機より流れでる漏洩電流ｉａを示す。横軸は時間軸である。
【００２０】
まず、図２（Ａ）の対地電圧Ｖｇ−ｅについて説明する。コンバータ回路３（ハーフブリッジ型コンバータ部）はＡＣＬ、第１スイッチング素子３ａ、第２スイッチング素子３ｂ、１対のダイオード３ｃと電圧を平滑するコンデンサ４によって構成されている。これら構成する物のうち、第１スイッチング素子３ａ、第２スイッチング素子３ｂが動作することによって、対地電圧は発生する。図３にスイッチング素子の動作による電流経路をパターン化したもの（ａ）（ｂ）（ｃ）（ｄ）を示す。
【００２１】
（ａ）モード１の各電圧は
Ｖｇ−ａ＝ＶＬ＝Ｖｓ／２                         …（１）
Ｖｒ−ａ＝Ｖｓ−ａ＝Ｖｇ−ａ＝Ｖｓ／２                …（２）
Ｖｇ−ａ：アースとグランドの電位差
ＶＬ：ＡＣＬ２の両端の電位差
【００２２】
（ｂ）モード２の各電圧は
｛Ｖｇ−ｅ＝ＶＬ，Ｖｓ／２＝２ＶＬ＋Ｖｄ｝
⇒Ｖｇ−ａ＝Ｖｓ／２−Ｖｄ／２                         …（３）
Ｖｒ−ａ＝Ｖｇ−ａ＋Ｖｄ＝Ｖｓ／２＋Ｖｄ／２          …（４）
Ｖｓ−ａ＝Ｖｇ−ａ＝Ｖｓ／２−Ｖｄ／２                …（５）
【００２３】
（ｃ）モード３の対地電圧は
Ｖｇ−ａ＝ＶＬ＝Ｖｓ／２                         …（６）
Ｖｒ−ａ＝Ｖｓ−ａ＝Ｖｇ−ａ＝Ｖｓ／２                …（７）
【００２４】
（ｄ）モード４の各電圧は
｛Ｖｇ−ａ＝ＶＬ，Ｖｓ＝２ＶＬ＋Ｖｄ｝
⇒Ｖｇ−ａ＝Ｖｓ／２−Ｖｄ／２                         …（８）
Ｖｒ−ａ＝Ｖｇ−ａ＋Ｖｄ＝Ｖｓ／２−Ｖｄ／２          …（９）
Ｖｓ−ａ＝Ｖｇ−ａ＝Ｖｓ／２＋Ｖｄ／２                …（１０）
【００２５】
以上の各（ａ）（ｂ）（ｃ）（ｄ）のモードにおける対地電圧式（１）、（３）、（６）、（８）より、二通りの電圧が発生し、スイッチング素子の動作によりＶｄ／２の振幅を持つ方形波状の電圧が生じる。
【００２６】
即ち、（ａ）モード１のように第１スイッチング素子３ａ、第２スイッチング素子３ｂをスイッチＯＮすると、矢印で示すようにＡＣＬ２を介して短絡電流が流れる。ＡＣＬ電流はほぼ直線的に増加し、ＡＣＬにエネルギーを蓄える。
【００２７】
また、（ｂ）モード２のように第１スイッチング素子３ａ、第２スイッチング素子３ｂをスイッチＯＦＦするとＡＣＬ電流は前モードの最終電流を初期値としてほぼ直線的に減少し、矢印で示すようにＡＣＬに蓄えられていたエネルギーを平滑コンデンサ４に移す。
【００２８】
また、（ｃ）モード３、（ｄ）モード４はそれぞれ前記（ａ）モード１、（ｂ）モード２と逆電圧のときを示し、電流の流れの矢印で示すように逆に流れている。このように、ハーフブリッジ型コンバータは、他の一石型コンバータ（図示されていない）と同じ特性をもち、かつ一石型コンバータに比べて電流が流れる経路に存在するスイッチング素子数が少ないため、スイッチング素子による損失が減少し。コンバータの効率が向上する。
【００２９】
次に、図２（Ｂ）グランド−Ｕ相の電位差Ｖｕ−ｇについて説明する。ＰＷＭインバータ回路５は６個の第２スイッチング素子５ａ、第３スイッチング素子５ｂ、第４スイッチング素子５ｃ、第５スイッチング素子５ｄ、第６スイッチング素子５ｅ、第７スイッチング素子５ｆによって構成され、上下のスイッチング素子が交互にＯＮ／ＯＦＦ状態になる。
【００３０】
図４にＰＷＭインバータ回路動作の各モードの電流経路を動作を分かりやすくなるように１相のみ表記して示す。図より、第３スイッチング素子５ａがＯＮ状態である（ａ）モード１の電位差Ｖｕ−ｇは、
Ｖｕ−ｇ＝Ｖｄ                                        …（１１）
また、第４スイッチング素子５ｂがＯＮ状態である（ｂ）モード２の電位差Ｖｕ−ｇは、
Ｖｕ−ｇ＝０                             …（１２）
となるように、ＰＷＭインバータ回路５の各スイッチング素子の動作によってＶｕ−ｇはＶｄの振幅を持った方形波状の電圧が生じる。
【００３１】
次に、図２（Ｃ）アース−Ｕ相の電位差は、電圧増幅回路によって発生したＶｇ−ｅとＰＷＭインバータ回路の動作によって発生したＶｕ−ｇを足し合わせた波形となり、インバータ回路部のスイッチング周波数に比べ電圧増幅回路のスイッチング周波数のほうが大きい為、図２（Ｃ）アース−Ｕ相の波形となる。また、圧縮機電動機６に印加される対地電圧は、電圧増幅回路のスイッチング素子動作による２パターンの対地電圧、ＰＷＭインバータ回路のスイッチング動作による２パターンのＵ相−グランド電圧により、４レベルの電圧を持つ。
【００３２】
例えば、ａ：第1スイッチング素子３ａ、第２スイッチング素子３ｂ、第３スイッチング素子５ａがＯＮ、第４スイッチング素子５ｂがＯＦＦのパターンでは、式（１）＋式（１１）となり、
Ｖｕ−ａ＝Ｖｓ／２＋Ｖｄ                 …（１３）
ｂ：第1スイッチング素子３ａ、第２スイッチング素子３ｂ、第４スイッチング素子５ｂがＯＦＦ、第３スイッチング素子５ａがＯＮのパターンでは、式（３）＋式（１１）となり、
Ｖｕ−ａ＝Ｖｓ／２−Ｖｄ／２＋Ｖｄ＝Ｖｓ／２＋Ｖｄ／２…（１４）
ｃ：第1スイッチング素子３ａ、第２スイッチング素子３ｂ、第４スイッチング素子５ｂがＯＮ、第３スイッチング素子５ａがＯＦＦのパターンでは、式（１）＋式（１２）となり、
Ｖｕ−ａ＝Ｖｓ／２                       …（１５）
ｄ：第1スイッチング素子３ａ、第２スイッチング素子３ｂ、第３スイッチング素子５ａがＯＦＦ、第４スイッチング素子５ｂがＯＮのパターンでは、式（３）＋式（１２）となり、
Ｖｕ−ａ＝Ｖｓ／２−Ｖｄ／２                          …（１６）
となる。
【００３３】
この実施の形態１の圧縮機電動機６において、コイル部６ｂと圧縮機電動機６の圧縮機外枠６ａの間には、図５に示す空調機の漏洩電流抑制装置の圧縮機電動機のコイル部と圧縮機外枠との間に存在するインピーダンスを示す説明図および図６の漏洩電流インピーダンスの簡易等価回路に示すように、コイル部６ｂと圧縮機の外枠６ａの間には、冷媒１３およびコイル部６ｂのエナメル絶縁層が存在する為、電気的にはコンデンサ６ｃによってカップリングしているものとみなすことができる。実際はコイル部のエナメル等の絶縁材料、圧縮機内のオイルや冷媒の誘電率、温度の変化等によって漏洩電流インピーダンスが異なる。
【００３４】
本来、空調機から流れる漏洩電流は主に圧縮機からの漏洩電流である。図１、図５および図６に示す図において、圧縮機６は外枠６ａの中に電動機コイル部６ｂを有し、このコイル部６ｂの各相にはエナメル等の絶縁材料で表面が覆われている。又前記コイル部６ｂは、冷媒１３中に浸っていることにより、冷媒１３がコンデンサの絶縁層に相当しておりコイル部６ｂ外枠６ａとの間にはキャパシタ状態を保った状態となる。このため、コイル部６ｂと外枠６ａ間に高周波電圧が印加だれると電流が流れる。この流れる電流自体が漏洩電流となる。図６に示す漏洩電流インピーダンスの簡易等価回路は、図５に示す空気調和機の漏洩電流抑制装置の圧縮機電動機のコイル部と圧縮機外枠との間にキャパシタが分布定数回路上に存在する、これを簡単な等価回路に変換した電気回路図で示したものである。
【００３５】
圧縮機の入力と圧縮機の外枠６ａは漏洩電流インピーダンスによってカップリングされているため、対地電圧が印加されることによって図２（Ｃ）の電流が図１に示す圧縮機６からアース７ａへ流れる漏洩電流ｉａ＋漏洩電流抑制回路８からアース７ａへと流れる漏洩電流ｉｂの経路を通り、空調機から大地へと流れる漏洩電流ｉｃとしてアース７ａへと流れる。
【００３６】
この発明の実施形態１の構成は、図１の空調機７に供給される商用交流電源１のゼロクロス情報と検知する部分と、その情報を基に第９スイッチング素子１１ａ、第１０スイッチング素子１１ｂを動作させるスイッチング素子ドライブ回路１１と、前記第９スイッチング素子１１ａ、第１０スイッチング素子１１ｂと等価なインピーダンスとなる抵抗Ｒ１２ａ、コンデンサＣ１２ｂおよびインピーダンス出力端１２ｃによって構成されている漏洩電流インピーダンス１２よりなる制御部１０を構成している。
【００３７】
漏洩電流抑制回路８の動作原理は、図１に示すように空調機本体７へ供給する商用交流電源１のゼロクロス情報のみで動作する特徴を持ため、前記漏洩電流抑制回路８は電圧増幅回路の出力である母線電圧Ｖｄを２つの第９スイッチング素子１１ａ、第１０スイッチング素子１１ｂを交互にＯＮ／ＯＦＦ状態にさせることによって漏洩電流を抑制する。
【００３８】
次に、この漏洩電流抑制回路８の詳細な動作について説明する。図６に漏洩電流抑制回路の各部の電圧電流を示す。前記式（２）、式（４）、式（７）、式（９）よりｒ側の対地電圧は図６（Ａ）波形となる。また、式（２）、式（５）、式（７）、式（１０）よりｓ側の対地電圧は図６（Ｂ）波形となる。前記第９スイッチング素子１１ａ、第１０スイッチング素子１１ｂを図６のスイッチングパターンのように、商用交流電源のゼロクロスで切り替える事によって図６（Ｃ）漏洩電流抑制回路の出力電圧波形が生じる。
【００３９】
また、漏洩電流抑制回路８にて発生させた対地電圧は、抵抗Ｒ１２ａ、コンデンサＣ１２ｂのインピーダンス部１２に接続することによって、図２（Ｆ）に示す漏洩電流ｉｂが図１に示す漏洩電流抑制回路８からアースへと流れる漏洩電流ｉｂとなる。
【００４０】
したがって、空調機から大地へと流れる漏洩電流ｉｃは圧縮機からアースへ流れる漏洩電流ｉａと前記漏洩電流抑制回路からアースへと流れる漏洩電流ｉｂを足し合わせたものなので、図２（Ｇ）に示す漏洩電流ｉｃの波形となる。
【００４１】
以上のように、電圧増幅器のスイッチング素子の動作によって発生する漏洩電流を、商用交流電源よりゼロクロスの情報を基に、スイッチング素子を制御することによって、発生する制御電圧を圧縮機のコイル部と圧縮機外枠に存在するインピーダンスと等価な抵抗ＲとコンデンサＣによって構成された回路に印加することによって、ハーフブリッジ型コンバータ回路部のスイッチング動作によって発生する漏洩電流を抑制することができる。
【００４２】
また、トランスなど重量物を使用しない為、小型化が可能であり、なおかつ、低速なスイッチングによって漏洩電流を抑制している為、制御が安易にすることができる。
【図面の簡単な説明】
【００４３】
【図１】この発明の実施の形態１による空調機の漏洩電流抑制装置を示す制御回路図である。
【図２】この発明の実施の形態１による空調機の漏洩電流抑制装置の要部を示す電圧電流波形図である。
【図３】この発明の実施の形態１による空調機の漏洩電流抑制装置のハーフブリッジ型コンバータ回路部の対地電圧の発生メカニズムを示す説明図である。
【図４】この発明の実施の形態１による空調機の漏洩電流抑制装置のインバータ回路部のグランド−出力電位差の発生メカニズムを各モードの電流経路を１相のみ表記して示す説明図である。
【図５】この発明の実施の形態１による空調機の漏洩電流抑制装置の圧縮機電動機のコイル部と圧縮機外枠との間に存在するインピーダンスを示す説明図である。
【図６】この発明の実施の形態１による空調機の漏洩電流抑制装置の圧縮機電動機のコイル部と圧縮機外枠との間に存在する漏洩電流インピーダンスの簡易等価回路示す説明図である。
【図７】この発明の実施の形態１による空調機の漏洩電流抑制装置の動作を示す波形図である。
【符号の説明】
【００４４】
１  商用電源、２  電圧増幅用リアクトル（ＡＣＬ）、３  コンバータ回路、３ａ  第１スイッチング素子、３ｂ  第２スイッチング素子、４  電圧平滑用コンデンサ、５  インバータ回路、５ａ  第３スイッチング素子、５ｂ  第４スイッチング素子、５ｃ  第５スイッチング素子、５ｄ  第６スイッチング素子、５ｅ  第７スイッチング素子、５ｆ  第８スイッチング素子、６  圧縮機電動機、６ａ  圧縮機外枠、６ｂ  コイル部、６ｃ、７  空調機本体、８  漏洩電流抑制回路、９  ゼロクロス検出回路、１０  制御部、１１  スイッチング素子ドライブ回路、１１ａ  第９スイッチング素子、１１ｂ  第１０スイッチング素子、１２  インピーダンス部、１２ａ  抵抗Ｒ、１２ｂ  コンデンサＣ、１２ｃ  インピーダンス出力端、１３  冷媒。
【図１】
2006174610.tif 000003
【図２】
2006174610.tif 000004
【図３】
2006174610.tif 000005
【図４】
2006174610.tif 000006
【図５】
2006174610.tif 000007
【図６】
2006174610.tif 000008
【図７】
2006174610.tif 000009